(57)【要約】      （修正有）【課題】安置方法が簡単で、如何なるワークトップに載置する必要がなく、収納スペースも消耗しなく、使用者は手任せに冷蔵庫に貼り付けることができるため、油汚れ又は水汚れに汚染されにくい。上記のキッチンスケールは同時にラジオ機能を提供するので、使用者はキッチンで働きながら自分の好みの番組を再生することができ、操作も簡単である。且つ、上記のキッチンスケールは一体化された板状設計とすることができ、その清掃も比較的便利な、キッチンスケールを提供する。【解決手段】キッチンスケールは、秤本体１００の中に設けられる磁気吸引部と、前記秤本体の中に設けられるラジオモジュール２と、前記秤本体の表面に設けられる少なくとも一つのボタンと、前記秤本体の中に設けられるスピーカーと、をさらに含む。【選択図】図１
0003235062.tif 000002
【実用新案登録請求の範囲】
【請求項１】
秤本体を含むキッチンスケールであって、
前記秤本体の中に設けられる磁気吸引部と、
前記秤本体の中に設けられるラジオモジュールと、
前記秤本体の表面に設けられる少なくとも一つのボタンと、
前記秤本体の中に設けられるスピーカーと、をさらに含む
ことを特徴とするキッチンスケール。
【請求項２】
前記少なくとも一つのボタンはスクロールボタンである
ことを特徴とする請求項１に記載のキッチンスケール。
【請求項３】
前記少なくとも一つのボタンはタッチボタンである
ことを特徴とする請求項１に記載のキッチンスケール。
【請求項４】
前記少なくとも一つのボタンは二つのボタンを含む
ことを特徴とする請求項１〜３のいずれか一項に記載のキッチンスケール。
【請求項５】
前記磁気吸引部は、両面テープの接着により前記秤本体に固定されている
ことを特徴とする請求項１に記載のキッチンスケール。
【請求項６】
前記磁気吸引部は、ねじにより前記秤本体に固定されている
ことを特徴とする請求項１に記載のキッチンスケール。
【請求項７】
前記磁気吸引部は、溶接により前記秤本体に固定されている
ことを特徴とする請求項１に記載のキッチンスケール。
【請求項８】
前記二つのボタンのうちの一つのボタンは、前記ラジオモジュールのスイッチ及び音量調節ボタンである
ことを特徴とする請求項１に記載のキッチンスケール。
【請求項９】
前記二つのボタンのうちのもう一つのボタンは、前記ラジオモジュールの周波数変調ボタンである
ことを特徴とする請求項８に記載のキッチンスケール。
【請求項１０】
重量の示度及びラジオチャンネル情報を表示するための、前記秤本体の上面に設けられるディスプレーをさらに含む
ことを特徴とする請求項１に記載のキッチンスケール。
【考案の詳細な説明】
【技術分野】
【０００１】
本考案は、秤量機器に関し、特にキッチンスケールに関する。
【背景技術】
【０００２】
生活レベルの益々の向上に伴い、人々の生活品質に対する要求も益々高くなっている。電子キッチンスケールは、キッチン用品の一つとして、家庭生活に寄与し、特に現代化装飾のキッチンの使用と飾りに適し、食物の重量を正確に秤出することができるため、益々多くの現代家庭に歓迎され、欧米などの先進国で特に人気がある。
【０００３】
現在市販されているキッチンスケールの収納方式は、フックで壁に掛けられ、又は消費者自身で収納ロッカーに単独で置かれることである。壁に掛けられて位置固定されることは、柔軟性が高くなく、且つ対応なフックと配合する必要もある。一方、フックによっては、掛かる物を取り出す時に利便性がなく、掛かる物を特定の方向に移動しなければフックに引っ掛かる可能性があり、また、使用済みで戻す場合、物品の掛かる位置をフックに注意深く合わせる必要がある。収納ロッカーに収納することは、取り出しに不便であり、且つ貴重な収納空間も消耗される。
【０００４】
これに加えて、現在市販のキッチンスケールは、秤量という用途しかなく、単一の秤量機能しか有しない。同時に、キッチンで働いている間に音声番組を聴く習慣のある消費者がある。専用のラジオを用いる場合、ラジオを別に追加するか又は携帯電話で音声番組を再生する必要がある。専用のラジオを追加しても携帯電話で音声番組を再生しても、キッチン内の多くのワークトップに油汚れ又は水染みがあることが多いため、ラジオ又は携帯電話の置き方は問題となり、且つ人々がキッチンで働いている時に手に油汚れ又は水跡があることが多く、通常的に構造が精密でボタンが小さいラジオ又は携帯電話を操作することはあまり便利ではない。
【考案の概要】
【考案が解決しようとする課題】
【０００５】
これに基づき、秤量機能の他に音声番組再生機能も提供し、且つ安置方法が簡単で、いかなるワークトップに置かれる必要がなく、収納スペースも消耗しなく、そして油汚れ又は水汚れに汚染されにくい新型のキッチンスケールを提供する必要がある。
【課題を解決するための手段】
【０００６】
前記課題を解決するため、本考案は、秤本体を含むキッチンスケールにおいて、前記秤本体の中に設けられる磁気吸引部と、前記秤本体の中に設けられるラジオモジュールと、前記秤本体の表面に設けられる少なくとも一つのボタンと、前記秤本体の中に設けられるスピーカーと、をさらに含むことを特徴とする。
【０００７】
一実施例では、前記少なくとも一つのボタンはスクロールボタンである。
【０００８】
一実施例では、前記少なくとも一つのボタンはタッチボタンである。
【０００９】
一実施例では、前記少なくとも一つのボタンは二つのボタンを含む。
【００１０】
一実施例では、前記磁気吸引部は両面テープの接着によって前記秤本体に固定される。
【００１１】
一実施例では、前記磁気吸引部は、ねじによって前記秤本体に固定される。
【００１２】
一実施例では、前記磁気吸引部は、溶接により前記秤本体に固定されている。
【００１３】
一実施例では、前記二つのボタンのうちの一つのボタンは、前記ラジオモジュールのスイッチ及び音量調節ボタンである。
【００１４】
一実施例では、前記二つのボタンのうちのもう一つのボタンは、前記ラジオモジュールの周波数変調ボタンである。
【００１５】
一実施例では、重量の示度及びラジオチャンネル情報を表示するための、前記秤本体の上面に設けられるディスプレーをさらに含む。
【考案の効果】
【００１６】
上記のキッチンスケールは、安置方法が簡単で、如何なるワークトップに載置する必要がなく、収納スペースも消耗しなく、使用者は手任せに冷蔵庫に貼り付けることができるため、油汚れ又は水汚れに汚染されにくい。上記のキッチンスケールは同時にラジオ機能を提供するので、使用者はキッチンで働いながら自分の好みの番組を再生することができ、操作も簡単である。且つ、上記のキッチンスケールは一体化された板状設計とすることができ、その清掃も比較的便利である。
【００１７】
本出願の一つ又は複数の実施例の詳細は、以下の図面及び説明に記載される。本出願の他の特徴、目的、及び利点は、明細書、図面、及び実用新案登録請求の範囲から明らかになるであろう。
【図面の簡単な説明】
【００１８】
本実用新案の実施例又は従来技術における技術案をより明確に説明するために、以下は実施例又は従来技術の説明に用いる図面を簡単に紹介する。明らかに、以下の説明における図面は本実用新案のいくつかの実施例に過ぎず、当業者にとって、考案的な努力をしない前提で、これらの図面から他の実施例の図面を得ることもできる。
【００１９】
【図１】一実施形態におけるキッチンスケールの頂部の模式図である。
【図２】一実施形態における図１のキッチンスケールのＡ-Ａに沿った断面図である。
【図３】一実施形態における図１のキッチンスケールの側面図である。
【図４】一実施形態における図１のキッチンスケールの底部の模式図である。
【考案を実施するための形態】
【００２０】
本考案の理解を容易にするために、以下、本考案について図面を参照してより全面的に説明する。図面には本考案の好ましい実施例が示されている。しかしながら、本考案は、多くの異なる形態で実施することができ、本明細書に記載の実施例に限定されるものではない。逆に、これらの実施例を提供する目的は、本考案の開示をより明らかで全面的にすることである。
【００２１】
他に定義されない限り、本明細書で使用される全ての技術用語及び科学用語は、本考案の技術分野に属する当業者によって一般に理解されるものと同じ意味を有する。本明細書で使用される用語は、具体的な実施例を説明するためのものであって、本考案を限定することを意図するものではない。本明細書で使用される「及び／又は」という用語は、１つ又は複数の関連する列挙された項の任意及びすべての組み合わせを含む。
【００２２】
以下の説明では、本出願のより完全な理解を提供するために、多くの具体的な詳細が与えられる。しかしながら、当業者にとって明らかなように、本出願は、これらの詳細の１つ以上を必要とせずに実施することができる。他の例では、本出願との混乱を避けるために、当分野で周知のいくつかの技術的特徴については記載されていない。
【００２３】
本出願は様々の形態で実施される可能であり、ここで提案された実施例に限定して解釈されるべきではないことを理解すべきである。逆に、これらの実施例を提供することは、開示を徹底的かつ完全にし、本出願の範囲を当業者に完全に伝達する。図面において、層及び領域の大きさ、並びに相対的な大きさは、明確にするために誇張される可能性がある。以下の説明では、同一の部品には同一の符号を付してある。
【００２４】
素子又は層が、「・・・の上」、「・・・と隣接する」、他の要素又は層に「接続される」、又は「結合される」と称される場合、直接で、他の要素又は層の上、他の要素又は層と隣接する、他の要素又は層に接続又は結合されることが可能であり、あるいは介在する要素又は層が存在することが可能である。逆に、素子が、「直接に・・・の上」、「・・・と直接隣接する」、他の要素又は層に「直接接続される」又は「直接結合される」と称される場合、介在する要素又は層は存在しない。第１、第２、第３などの用語を用いて様々な要素、部品、領域、層、及び／又は一部を説明することができるが、これらの要素、部品、領域、層、及び／又は一部は、これらの用語によって限定されるべきではないことを理解されたい。これらの用語は、１つの要素、部品、領域、層、又は一部を別の要素、部品、領域、層、又は一部と区別するためにのみ使用される。したがって、本明細書の教示から逸脱しない場合、以下で説明される第１の要素、部品、領域、層又は一部は、第２の要素、部品、領域、層又は一部として表すことができる。
【００２５】
空間的関係用語、例えば「・・・下」、「下の」、「・・・の下」、「・・・の上」、「上の」などは、ここで説明の便宜上使用されて図面に示される１つの要素又は特徴と他の要素又は特徴との関係を説明することができる。図面に示される配向に加えて、空間的関係の用語は、使用中及び動作中の装置の異なる配向も含むことが意図されることを理解されたい。例えば、図面における装置が反転した場合、そして、「他の要素の下にある」又は「その下にある」と記載された要素又は特徴は、他の要素又は特徴の「上にある」ように配向されることになる。従って、「・・・下」、「・・・の下」という例示的な用語は、上及び下との２つの配向を含むことができる。装置は、別に配向して（９０度回転又は他の配向）、使用される空間的記述語が相応的に解釈されることができる。
【００２６】
本明細書で使用される用語は、具体的な実施例を説明することのみを目的とし、本出願を限定するものではない。本明細書で使用される場合、単数形の「一」、「一つ」及び「前記／該」は、文脈が他の形式を明示しない限り、複数形を含むことも意図される。また、「構成」及び／又は「含む」という用語は、本明細書で使用される場合、特徴、整数、ステップ、動作、要素、及び／又は部品の存在を決定するものであるが、１つ又は複数の他の特徴、整数、ステップ、動作、要素、部品、及び／又はグループの存在又は追加を排除するものではないことを理解されたい。本明細書で使用する場合、「及び／又は」という用語は、関連する列挙された項の任意及びすべての組み合わせを含む。
【００２７】
本願の実施例は、秤本体を含むキッチンスケールを提供する。前記キッチンスケールは、さらに、前記秤本体の中に設けられる磁気吸引部と、前記秤本体の中に設けられるラジオモジュールと、前記秤本体の表面に設けられる少なくとも一つのボタンと、前記秤本体の中に設けられるスピーカーと、を含む。具体的には図１を参照する。
【００２８】
図１は一実施形態によるキッチンスケールを示し、キッチンスケールが、秤本体１００を含み、本実施形態において平板状となり、さらに以下の部品を含む。
【００２９】
秤本体１００の中に設けられる磁気吸引部１であって、秤本体を金属表面、例えば冷蔵庫の表面に吸着するために用いられる。磁気吸引部１を設けることは、秤本体１００にフック又はフックと係合するための構造を設計することより、かなり便利で自由であり、常に十分な安全信頼性を達成することができる。特に、磁気固定方式ではキッチンスケールをその吸着面に密着させることができ、揺動作用を回避して振動作用を低減させることができ、これにより使用者は片手で楽に操作することができる。磁気吸引部１内の磁石又は磁性ブロックは、その設置が秤本体１００の構造及び外観に影響を与えないように、秤本体１００の形状に適応し又は合わせる形状を選択することができる。磁気吸引の方案は、使用上に顕著な利便性があり、キッチンスケールの秤量機能を使用する時に手任せに冷蔵庫などの電気機器から取り外せばよく、キッチンスケールの移動方向を注意する必要がない。また、使用完了した時、手任せに置けばよく、キッチンスケールの掛かる部とフックを注意深く合わせる必要がない。
【００３０】
秤本体１００の中に設けられるラジオモジュール２であって、具体的には、前記秤本体１００のエッジに近い部位に設けられてもよく、エッジ部位に設けられるのは、放送信号を受信しやすいからである。
【００３１】
一実施例として、ラジオモジュール２はアンテナ（図示せず）、高周波増幅器（図示せず）、ミキサ（図示せず）、中間周波増幅器（図示せず）、電力増幅器（図示せず）、及びスピーカ（図示せず）を含んでもよい。アンテナ、高周波増幅器、ミキサ、中間周波増幅器、電力増幅器、及びスピーカは順に接続される。前記秤本体１００にデジタル位相ロックループ回路（図示せず）が設けられてもよく、該デジタル位相ロックループ回路のデータ出力端がミキサ内の局部発振器の制御端に接続され、前記ミキサの中間周波周波数及び振幅を出力するステレオ指示端は、前記秤本体１００の中の位相ロックループ回路のデータ入力端に接続される。秤本体１００と前記ミキサとの間には、クロック信号線とチップ選択信号線がさらに接続される。本実施例において、本実用新案のラジオ機能を有するキッチンスケールは、二つの技術案の基にシステム統合により実現されるものであり、一つは秤の技術案であり、もう一つは無線デジタル同調式ラジオの技術案である。そのうち、無線デジタル同調式ラジオでは、アンテナにより受信された信号は高周波増幅、ミキシング、中間周波増幅、パワー増幅を経て、最後にスピーカを介して音声信号を出力させる。秤本体１００では、配置された後に無線デジタル同調式ラジオの受信波長帯域の選択及び制御を実現することができる。
【００３２】
一実施例において、ミキサを秤本体１００と無線デジタル同調式ラジオとの結合部品とすることができる。ミキサは、その局部発振周波数を調整することにより固定のビート信号、すなわち１０.７ＭＨｚ中間周波数の出力を得ることができ、続いて中間周波増幅、パワー増幅を行ってスピーカ（又はイヤホン）に出力する。本実用新案は、秤本体により波長帯域の選択制御（選局）が行われ、そのデジタル位相ロックループ回路（ＰＬＬ）の数値が、ビートが１０.７ＭＨｚになるようにソフトウェアによって制御されるように構成されてもよい。オートサーチ選局の場合、秤本体によって、ミキサからフィードバックされた出力信号に基づき、内部ソフトウェアによりＰＬＬの値を制御し、ミキサの中の電圧制御発振器の発振周波数を変更することで、中間周波出力が１０.７ＭＨｚに安定することを達成するようにする。
【００３３】
該キッチンスケールは、前記秤本体１００の表面に設けられる少なくとも一つのボタンをさらに含む。本実施形態において、該少なくとも一つのボタンは、秤本体１００の側辺に設けられる二つのボタン、すなわち図面における第１スクロールボタン３及び第２スクロールボタン４を含み。具体的には図３を参照することができる。図３は本実施例におけるキッチンスケールの側面図である。スクロールボタンが秤本体１００の側辺に設けられるのは、キッチンスケールが置かれる時（例えば冷蔵庫に貼り付けられる）に使用者がスクロールボタンを調整しやすいからである。他の実施形態において、該少なくとも一つのボタンはタッチボタンであってもよく、数として二つ設けられてもよく、設けられる位置が秤本体の上面又は側面であってもよく、ここで限定されない。
【００３４】
さらに図４を参照すると、キッチンスケールは、秤本体１００において、秤本体１００の中に設けられるスピーカー５をさらに含む。秤本体１００の上面が冷蔵庫のような表面に貼り付けられる時、秤本体１００の底部は遮れない状態となるので、スピーカー５からの音波は良好に伝達することができる。また、下面が冷蔵庫のような表面に貼り付けられる状態の秤本体１００であっても、秤本体１００に一般的にいくつかの支持脚（図示せず）があるため、秤本体１００と貼り付ける表面との間に一定の隙間が残されて、スピーカー５の発音に影響を与えるわけではない。
【００３５】
さらに図２を参照すると、図２は図１のＡ-Ａ線に沿った断面図であり、秤本体１００において磁気吸引部１の固定状況を示す。
【００３６】
一実施例では、磁気吸引部１は、両面テープの接着によって秤本体１００の中に固定されてもよい。
【００３７】
一実施例では、磁気吸引部１は、ねじによって秤本体１００の中に固定されてもよい。
【００３８】
一実施例では、磁気吸引部１は、溶接によって秤本体１００の中に固定されてもよい。
【００３９】
一実施例では、第１スクロールボタン３はラジオモジュール２のスイッチ及び音量調節ボタンであり、例えば一定の位置まで回転するとラジオモジュール２が起動し、引き続き回転すると音量が徐々に大きくなる。
【００４０】
一実施例では、第２スクロールボタン４は前記ラジオモジュール２の周波数変調ボタンであり、第２スクロールボタン４の回転により、周波数変調の機能が実現される。
【００４１】
一実施例では、キッチンスケールは、秤本体１００において、重量の示度及びラジオチャンネル情報を表示するための、秤本体１００の上面に設けられるディスプレー６をさらに含む。
【００４２】
一実施例では、本願は秤本体１００を含むキッチンスケールをさらに提供し、キッチンスケールは、さらに、前記秤本体１００の中に設けられ、両面テープの接着により前記秤本体１００の中に固定される磁気吸引部１であって、前記磁気吸引部１はネジにより前記秤本体１００の中に固定され、又は溶接により前記秤本体１００の中に固定される磁気吸引部１と、前記秤本体１００の中に設けられるラジオモジュール２と、少なくとも二つのスクロールボタン（３、４）、すなわち第１スクロールボタン３及び第２スクロールボタン４であって、前記秤本体１００の表面に設けられ、前記少なくとも一つのボタンはスクロールボタンである少なくとも二つのスクロールボタン（３、４）と、前記秤本体１００の中に設けられるスピーカー５と、を含み、前記第１スクロールボタン３は前記ラジオモジュール２のスイッチ及び音量調節ボタンであり、前記第２スクロールボタン４は前記ラジオモジュール２の周波数変調ボタンである。
【００４３】
前記キッチンスケールは、重量の示度及びラジオチャンネル情報を表示するための、前記秤本体１００の上面に設けられるディスプレー６をさらに含む。
【００４４】
上記のキッチンスケールは、安置方法が簡単で、如何なるワークトップに載置する必要がなく、収納スペースも消耗しなく、使用者は手任せに冷蔵庫に貼り付けることができるため、油汚れ又は水汚れに汚染されにくい。上記のキッチンスケールは同時にラジオ機能を提供するので、使用者はキッチンで働いながら自分の好みの番組を再生することができ、操作も簡単である。
【００４５】
また、上記のキッチンスケールは一体化された板状設計とすることができ、その清掃も比較的便利である。
【００４６】
本願は、様々の形態で実施される可能であり、ここに開示された実施例に限定されるものとして解釈すべきではないと理解されたい。逆に、これらの実施例を提供することは、開示を徹底的かつ完全にし、本出願の範囲を当業者に完全に伝達する。図面において、層及び領域の大きさ、並びに相対的な大きさは、明確にするために誇張される可能性がある。全部の説明では、同一の部品には同一の符号を付してある。
【００４７】
以上述べた実施例の各技術的特徴は任意に組み合わせることができ、説明を簡潔にするために、上記実施例における各技術的特徴の全ての可能な組み合わせについて説明していないが、これらの技術的特徴の組み合わせに矛盾がない限り、本明細書に記載の範囲と考えるべきである。
【００４８】
以上に記載の実施例は本出願のいくつかの実施形態を表現し、その説明は比較的具体的で詳細であるが、それにより考案の実用新案登録請求の範囲を限定すると解釈されるべきではない。指摘すべきものとして、当業者であれば、本願の構想から逸脱しない前提で、さらにいくつかの変形及び改良を行うことができ、これらはいずれも本願の保護範囲に属する。したがって、本願考案の保護範囲は添付の請求項に準ずるべきである。
【符号の説明】
【００４９】
１００  秤本体、１  磁気吸引部、２  ラジオモジュール、３  第１スクロールボタン、４  第２スクロールボタン、５  スピーカー
【図１】
0003235062.tif 000003
【図２】
0003235062.tif 000004
【図３】
0003235062.tif 000005
【図４】
0003235062.tif 000006